(57)【要約】【課題】  薬液の注ぎ出し・注ぎ入れ作業において、薬液が外部に漏らすおそれがなく、液体詰め替え袋体に残っている薬液の移し替えを十分に行うことができる薬液詰め替え支援具を提供する。【解決手段】  薬液本体容器３００に対して液体詰め替え袋体２００からの薬液の注入・詰め替えを支援する薬液詰め替え支援具１００である。筒状の上部筒体１１０とラッパ状の下部漏斗部１２０と上部筒体１１０の内周壁の一部から延設された開口保持部１３０を備えている。下部漏斗部１２０を薬液本体容器３００の上面開口から突き立てて薬液本体容器３００に取り付ける。液体詰め替え容器２００の上面封止を破ぶり開口を開け、上部筒体１１０内に薬液を注ぎ込みつつ倒立させ、開口保持部１３０を倒立状態の液体詰め替え袋体２００の内部に挿入することにより液体詰め替え袋体２００の開口した状態で倒立させる。【選択図】  図１
2010163195.tif 000002
【特許請求の範囲】
【請求項１】
薬液を収納する薬液本体容器に対して、詰め替え用薬液を封止した液体詰め替え袋体からの前記薬液の注入・詰め替えを支援する薬液詰め替え支援具であって、
前記封止が破られ上面が開口された前記液体詰め替え容器を倒立させた状態で受け入れる筒状の上部筒体と、
前記上部筐体から前記薬液本体容器の上面開口を介して前記薬液本体容器内部まで導通する下部漏斗部と、
前記上部筐体の内周壁面の一部から延設され、前記倒立状態の前記液体詰め替え袋体の内部に挿入することにより、前記液体詰め替え袋体の開口状態を保つ開口保持部を備えた薬液詰め替え支援具。
【請求項２】
前記開口保持部が離れた２片の柱体であり、２片の前記柱体の間隔をもって、前記液体詰め替え袋体の開口状態を保つものである請求項１に記載の薬液詰め替え支援具。
【請求項３】
前記開口保持部が、前記上部筐体の中で対向する内周壁面間に設けた山型の橋梁であり、前記橋梁の稜線の広がりにより前記液体詰め替え袋体の開口状態を保つものである請求項１に記載の薬液詰め替え支援具。
【請求項４】
前記下部漏斗部の上部において外周壁面がラッパ状の広がりを備え、前記薬液本体容器の上面開口に差し込むことで、前記薬液本体容器の上面開口の内径にちょうど沿う外周壁面部分にて前記下部漏斗部が嵌合係止されることを特徴とする請求項１から３のいずれか１項に記載の薬液詰め替え支援具。
【請求項５】
前記下部漏斗部の外周側壁面に空気抜き用の溝を設け、前記下部漏斗部を前記薬液本体容器の上面開口に差し込んだ状態で前記空気抜き用の溝により前記薬液本体容器の内部と外気を通じせしめたことを特徴とする請求項１から４のいずれか１項に記載の薬液詰め替え支援具。
【発明の詳細な説明】
【技術分野】
【０００１】
本発明は、シャンプーやリンスや洗剤や柔軟剤などの薬液を収納する薬液本体容器（シャンプーボトルやリンスボトルや洗剤ボトルなど）に対して、詰め替え用薬液を封止した液体詰め替え袋体（パウチなど）から薬液を注入、詰め替える作業を支援するための薬液詰め替え支援具に関する。
【背景技術】
【０００２】
シャンプーやリンスや洗剤などの薬液を収納する薬液本体容器の一種類として、液体洗剤、液体柔軟剤等の詰め替え用薬液を封止した液体詰め替え袋体（パウチ）が数々市場に提供されている。その中で、スタンディングパウチ、即ち、立て置き式液体収納容器として、特開２０００−１７７７５６号がある。
【０００３】
これは、プラスチック製フィルム又はシートの上辺部、左右の側辺部および底部を巡る周辺部をシールして内部に下部が膨らみ上部が窄んだ液体収納部を形成し、前記上辺部の一方コーナ部には切断によって注出口部を形成する液体注出用ノズルが斜め上方に向くように形成され、前記ノズルの両側には、前記シールによって前記側辺部及び前記上辺部との間に詰め替え先の容器の口縁に係止するよう窪みの係止部を形成した立て置き式のノズル付き液体収納容器である。
【０００４】
このような詰め替え用薬液を封止した液体詰め替え袋体を用いて、シャンプーボトルなどの薬液本体容器へ詰め替える作業は概ね以下のようになる。
（手順１）液体詰め替え袋体の上面付近の封止辺近くに設けられた切り取り線に沿って破り、上面開口を設ける。シャンプーボトルなどの薬液本体容器の薬液吐出ノズルなどを取り外して上面開口を開けておく。
（手順２）液体詰め替え袋体を傾け、上面開口から内部の薬液を注ぎ出し、その薬液をシャンプーボトルなどの薬液本体容器の上面開口に対して注ぎ入れる。
（手順３）液体詰め替え袋体に残っている薬液を利用者が納得するまで絞り出し、その時点で注ぎ入れを終了し、シャンプーボトルなどの薬液本体容器の上面開口に薬液吐出ノズルなどを取り付ける。
【０００５】
上記手順は、薬液の違い、パウチのデザインの違いなどにより多少の違いはあるが、概ね共通する作業である。その中で様々な工夫がなされており、例えば、手順２の薬液の注ぎ出し・注ぎ入れの作業において、薬液本体容器の上面開口への注ぎ入れが失敗しないように、液体詰め替え袋体の開口をしっかり開けるように内部に筒体を仕込んだものなどがある（特開２００３−１６０１５０号公報）。
【先行技術文献】
【特許文献】
【０００６】
【特許文献１】特開２０００−１７７７５６号公報
【特許文献２】特開２００３−１６０１５０号公報
【発明の概要】
【発明が解決しようとする課題】
【０００７】
従来の液体詰め替え袋体を用いた薬液の詰め替えには以下の問題があった。
【０００８】
第１の問題は、薬液の注ぎ出し・注ぎ入れの作業において、失敗をして漏らしてしまうおそれがあり、失敗しないように注意を払いつつ作業に要する間消費者の手が拘束されてしまうという問題である。
薬液の注ぎ出し・注ぎ入れ作業は、液体が流体として空中を介して受け渡されるため、狙いが外れると薬液本体容器の上面開口に入らず、薬液本体容器の外に漏れ出してしまう。
慎重に注意を払いつつ薬液の注ぎ出し・注ぎ入れ作業を行うと薬液本体容器の上面開口に注ぎ入れることができるが、その分、注意を払う必要があり作業に要する間、消費者の手が拘束されてしまう。
【０００９】
第２の問題は、液体詰め替え袋体に残っている薬液の移し替えが十分行うことが難しかった。特にシャンプーのように粘性の高い薬液の場合、液体詰め替え袋体の内部に粘りついて滞留しつつゆっくりと垂れ、直ぐには全量が注ぎ出せるものではなかった。作業時間を短縮するために液体詰め替え袋体をしごくなど無理に絞り出して対応する消費者が多かった。
【００１０】
上記問題点に鑑み、本発明は、従来の液体詰め替え袋体を用いつつ、薬液の注ぎ出し・注ぎ入れ作業において、失敗して薬液を外部に漏らすおそれがなく、詰め替え作業において消費者の手を拘束せず、かつ、液体詰め替え袋体に残っている薬液の移し替えを十分に行うことができる薬液詰め替え支援具を提供することを目的とする。
【課題を解決するための手段】
【００１１】
上記目的を達成するため、本発明の薬液詰め替え支援具は、
薬液を収納する薬液本体容器に対して、詰め替え用薬液を封止した液体詰め替え袋体からの前記薬液の注入・詰め替えを支援する薬液詰め替え支援具であって、
前記封止が破られ上面が開口された前記液体詰め替え容器を倒立させた状態で受け入れる筒状の上部筒体と、
前記上部筐体から前記薬液本体容器の上面開口を介して前記薬液本体容器内部まで導通する下部漏斗部と、
前記上部筐体の内周壁面の一部から延設され、前記倒立状態の前記液体詰め替え袋体の内部に挿入することにより、前記液体詰め替え袋体の開口状態を保つ開口保持部を備えたものである。
【００１２】
上記構成により、上部筒体と下部漏斗部を備えることにより、薬液の注ぎ出し・注ぎ入れ作業において失敗することがなく、液体詰め替え容器を上部筒体内部に投入しておけば消費者の手がかからないため詰め替え作業において消費者の手を拘束せず、さらに開口保持部を備えているため、上部筒体に入れて開口保持部で開口状態に保ったまま放置しておくことにより液体詰め替え袋体に残っている薬液の移し替えを十分に行うことができる。
【００１３】
なお、例えば、開口保持部が離れた２片の柱体であり、２片の前記柱体の間隔をもって、前記液体詰め替え袋体の開口状態を保つものであることが好ましい。
このように、開口保持部が間隔の離れた２片の柱体であれば、液体詰め替え袋体を倒立させて当該柱体を液体詰め替え袋体内に挿入することにより開口が当該間隔で開いた状態とでき、かつ、液体詰め替え袋体の姿勢が倒立した状態で安定させることができる。
【００１４】
また、例えば、開口保持部が、上部筐体の中で対向する内周壁面間に設けた山型の橋梁であり、前記橋梁の稜線の広がりにより前記液体詰め替え袋体の開口状態を保つものであることが好ましい。
このように、開口保持部が内周壁をまたがる山型の橋梁であれば、液体詰め替え袋体を倒立させて当該橋梁を液体詰め替え袋体内に挿入することにより開口が稜線に沿って開いた状態とでき、かつ、液体詰め替え袋体の姿勢が倒立した状態で安定させることができる。
【００１５】
また、下部漏斗部の形状としては、下部漏斗部の上部において外周壁面がラッパ状の広がりを備えたものであれば、前記薬液本体容器の上面開口に差し込むことで、前記薬液本体容器の上面開口の内径にちょうど沿う外周壁面部分にて前記下部漏斗部が嵌合係止され、本発明の薬液詰め替え支援具を安定した状態で、薬液本体容器に差し込んで取り付けることができる。
【００１６】
また、前記下部漏斗部の外周側壁面に空気抜き用の溝または突起構造物を設け、前記下部漏斗部を前記薬液本体容器の上面開口に差し込んだ状態で前記空気抜き用の溝により前記薬液本体容器の内部と外気を通じせしめた構成とすることが好ましい。
なぜならば、液体詰め替え容器から流れ込む薬液は薬液詰め替え支援具の内部を通って下方へ流れて薬液本体容器の内部へ入って行き、一方、薬液本体容器から上へ抜け出ようとする空気は空気抜きの溝を通って上方へ抜けて薬液本体容器の外部へ出て行く構成となっており、スムーズに薬液本体容器の内部において薬液と空気との入れ替えが可能となる。
【発明の効果】
【００１７】
本発明にかかる本発明の薬液詰め替え支援具用の薬液詰め替え支援具によれば、薬液の注ぎ出し・注ぎ入れ作業において失敗することがなく、詰め替え作業において消費者の手を拘束せず、さらに開口保持部を備えているため、上部筒体に入れて開口保持部で開口状態に保ったまま放置しておくことにより液体詰め替え袋体に残っている薬液の移し替えを十分に行うことができる。
【図面の簡単な説明】
【００１８】
【図１】実施例１の本発明の薬液詰め替え支援具１００の構成例を模式的に示す図（その１）
【図２】実施例１の本発明の薬液詰め替え支援具１００の構成例を模式的に示す図（その２）
【図３】実施例１の本発明の薬液詰め替え支援具１００の構成例を模式的に示す図（その３）
【図４】実施例１の本発明の薬液詰め替え支援具１００の構成例を模式的に示す図（その４）
【図５】実施例１の薬液詰め替え支援具１００を用いて薬液詰め替え支援具を構築する手順を模式的に示した図（その１）
【図６】実施例１の薬液詰め替え支援具１００を用いて薬液詰め替え支援具を構築する手順を模式的に示した図（その２）
【図７】実施例１の薬液詰め替え支援具１００を用いて薬液詰め替え支援具を構築する手順を模式的に示した図（その３）
【図８】実施例１の薬液詰め替え支援具１００を用いて薬液詰め替え支援具を構築する手順を模式的に示した図（その４）
【図９】実施例２の本発明の薬液詰め替え支援具１００の構成例を模式的に示す図（その１）
【図１０】実施例２の本発明の薬液詰め替え支援具１００の構成例を模式的に示す図（その２）
【図１１】実施例２の本発明の薬液詰め替え支援具１００の構成例を模式的に示す図（その３）
【図１２】実施例２の本発明の薬液詰め替え支援具１００の構成例を模式的に示す図（その４）
【図１３】実施例２の薬液詰め替え支援具１００を用いて薬液詰め替え支援具を構築する手順を模式的に示した図（その１）
【図１４】実施例２の薬液詰め替え支援具１００を用いて薬液詰め替え支援具を構築する手順を模式的に示した図（その２）
【図１５】実施例２の薬液詰め替え支援具１００を用いて薬液詰め替え支援具を構築する手順を模式的に示した図（その３）
【図１６】実施例２の薬液詰め替え支援具１００を用いて薬液詰め替え支援具を構築する手順を模式的に示した図（その４）
【発明を実施するための形態】
【００１９】
以下、本発明の薬液詰め替え支援具を添付図面に示す実施例に基づいて詳細に説明する。なお、本発明はこれらの実施例に限定されるものではない。
【実施例１】
【００２０】
本発明の実施例１に係る薬液詰め替え支援具１００について説明する。なお、以下の実施例では、薬液詰め替え支援具１００に加え、液体詰め替え袋体２００、薬液本体容器３００についても併せて説明している。
【００２１】
図１から図４は、本発明の実施例１に係る薬液詰め替え支援具１００の構成例を模式的に示す図である。図１は斜視図、図２（ａ）は正面図（背面図は正面図と同様）、図２（ｂ）は右側面図（左側面図は右側面図と同様）、図３（ａ）は平面図、図３（ｂ）は底面図、図４（ａ）は図３の平面図におけるＡ−Ａ線断面図、図４（ｂ）は図３の平面図におけるＢ−Ｂ線断面図、図４（ｃ）は図２におけるＣ−Ｃ線断面図の拡大図となっている。
図１から図４に示すように、本発明の薬液詰め替え支援具１００は、上部筒体１１０、下部漏斗部１２０、開口保持部１３０を備えている。
【００２２】
上部筒体１１０は、図１に示すように筒状の筐体であり、この例では上面には上面開口が開いており、底面には後述する下部漏斗部１２０につながる底面開口が開いている。この例では上部筒体１１０と後述する下部漏斗部１２０との境界は厳密には定まらず、上部筒体１１０と後述する下部漏斗部１２０一体で一つのいわゆる“ラッパ状”の筐体を形成する例となっている。
【００２３】
この上部筐体１１０は、いわゆる漏斗の上部の液だまり部分としての役割を果たし、かつ、後述する図７および図８に示すように、封止が破られ上面が開口された液体詰め替え容器２００を倒立させた状態で受け入れる部分となっている。そのため通常の漏斗の液だまりとは異なり、上部筐体１１０の壁面の高さは高いものとなっており、想定される液体詰め替え容器２００が倒立状態で内部に入った場合に倒れない程度の高さがある。例えば、想定される液体詰め替え容器２００の高さの半分以上あることが好ましい。この薬液の詰め替え作業については詳しく後述する。また、断面形状は特に限定されないがこの例では楕円形となっている。
【００２４】
下部漏斗部１２０は、上部筐体１１０から薬液本体容器３００の上面開口を介して薬液本体容器３００内部まで導通する部分である。下部漏斗部１２０の形状としては、外周壁面がラッパ状の広がりを備えたものであり、下部漏斗部１２０の上部部分の径は後述する薬液本体容器３００の上面開口３１０の径よりも大きく、かつ、下方に延びた足にあたる部分の径は後述する薬液本体容器３００の上面開口３１０の径よりも小さく、後述する図５に示すように、下部漏斗部１２０を薬液本体容器３００の上面開口３１０に差し込んで取り付ける。
また、図１の構成例では下部漏斗部１２０の先端が斜めになっている。このように下部漏斗部１２０の先端が斜めになっていると後述するように薬液の移し替えのときに薬液が尖った先端に向かって流れ出しやすくなり、滴下されやすくなる。
【００２５】
下部漏斗部１２０を薬液本体容器３００の上面開口３１０に差し込んで行くと、図５に示すように、薬液本体容器３００の上面開口３１０の内径にちょうど沿う外周壁面部分にて下部漏斗部１２０が嵌合係止された状態で取り付けることができる。下部漏斗部１２０の外周壁が上面開口３１０の内周壁に嵌り込むことにより本発明の薬液詰め替え支援具１００が安定した状態で薬液本体容器３００に取り付けることができる。
【００２６】
なお、この構成例では下部漏斗部１２０の外周壁には、少なくとも１つの空気抜き用の溝１２１が設けられている。この例では２つの空気抜き用の溝１２１が設けられている。
【００２７】
もし、空気抜き用の溝１２１が設けられていない場合、図５に示す形で下部漏斗部１２０を薬液本体容器３００に取り付けると、下部漏斗部１２０の外周壁が上面開口３１０の内周壁に隙間なく嵌り込んでしまい、後述する図６から図８に示すように、薬液を液体詰め替え容器２００から本発明の薬液詰め替え支援具１００を介して薬液本体容器３００に注ぎ入れるときにうまく空気抜きができず、下へ流れようとする薬液と上へ抜けようとする空気がともに交錯し、本発明の薬液詰め替え支援具１００の中、特にボトルネックとなる下部漏斗部１２０の最細径の足部分の内部で流れが遅くなってしまう。
【００２８】
そこで、図４（ｃ）の断面図に示すように、下部漏斗部１２０の外周壁に空気抜きの溝１２１を設けておくことにより、液体詰め替え容器２００から下へ流れようとする薬液は本発明の薬液詰め替え支援具１００の内部を通って下方へ流れて薬液本体容器３００の内部へ入って行き、一方、薬液本体容器３００から上へ抜けようとする空気は下部漏斗部１２０の外周壁の空気抜きの溝１２１を通って上方へ流れて薬液本体容器３００の外部へ出て行く構成となり、スムーズに薬液本体容器３００の内部において薬液と空気との入れ替えが可能となる。
なお、この構成例では溝１２１が設けられているが、後述する実施例２のように、突起構造物１２１ａであっても同じ働きを奏することができる。突起構造物１２１ａについては実施例２で述べる。
【００２９】
次に、開口保持部１３０は、上部筐体１１０の内周壁面の一部から延設された構造物であり、液体詰め替え袋体２００を倒立したままで開口状態に保つ構造物である。なお、開口保持部１３０により開口状態に保つ方法は多様である。この構成例では、シンプルに図６から図７に示すように、倒立状態にある液体詰め替え袋体２００の内部に当該開口保持部１３０を突っ込んで挿入することにより、開口状態を保つものとなっている。この構成例では、図４（ａ）および図４（ｂ）に示すように、開口保持部１３０は上部筐体１１０の内周壁面の一部から延設された２片の柱体であり、後述する図８に示すように、倒立状態にある液体詰め替え袋体２００の内部に当該開口保持部１３０を突っ込んで挿入することにより、２片の柱体の間隔をもって、液体詰め替え袋体２００の開口状態を保つものであることが好ましい。
【００３０】
図４に示すように、開口保持部１３０が間隔（例えばＬｃｍ）の離れた２片の柱体であれば、図８に示すように、液体詰め替え袋体２００を倒立させて当該柱体を液体詰め替え袋体２００内に挿入することにより、液体詰め替え袋体２００の開口が当該間隔（Ｌｃｍ）で開いた状態とでき、かつ、液体詰め替え袋体の姿勢が倒立した状態で安定させることができる。
【００３１】
なお、開口保持部１３０が内周壁面から延設されている箇所の高さは、特に限定されないが、例えば、液体詰め替え袋体２００を薬液詰め替え支援具１００の上部筐体１１０内に立てると液体詰め替え袋体２００内の薬液の大部分が一気に上部筐体１１０内に一時的に溜まるが、その喫水線よりも上に位置するようにすることが好ましい。一時的であれ薬液の喫水線より下に来る場合、開口保持部１３０の付け根が薬液に浸されるので薬液が付け根に付着すると当該部分から薬液が自然に流れ落ちるのに少し時間がかかる可能性がある。また、液体詰め替え袋体２００のフィルム面と上部筐体１１０の内周壁面との間や開口保持部１３０との間において薬液が付着するおそれがあり当該部分から薬液が自然に流れ落ちるのに少し時間がかかる可能性がある。しかし、時間をかければ自然に薬液は流れ落ちるため、本発明において開口保持部１３０が内周壁面から延設されている箇所の高さを制限するものではない。
【００３２】
また、図４に示すように、この構成例では、開口保持部１３０は内周壁面から斜め上方に延設された構造となっている。このように開口保持部１３０の下部の構造が斜めになっていることにより、液体詰め替え袋体２００内部から開口保持部１３０をつたって落ちてくる薬液が自然と下方に流れ落ちやすくなっている。
【００３３】
次に、薬液詰め替え支援具１００を用いて液体詰め替え袋体２００から薬液本体容器３００に対して薬液の注入・詰め替えを行う手順を説明しておく。
【００３４】
（手順１）
まず、図５に示すように、薬液詰め替え支援具１００の下部漏斗部１２０を薬液本体容器３００の上面開口３１０に差し込んで薬液詰め替え支援具１００を薬液本体容器３００に取り付けておく。
【００３５】
（手順２）
次に、液体詰め替え袋体２００の上部の封止辺を破り、上面に開口２１０を開け、図６に示すように、薬液本体容器３００に取り付けた薬液詰め替え支援具１００の上部筐体１１０に対して注ぎ込みつつ、上部筐体１１０上で倒立状態まで立てる。
【００３６】
（手順３）
次に、図７に示すように、液体詰め替え袋体２００を倒立させたまま上部筐体１１０内へ差し込む。
この例では、図８に示すように、液体詰め替え袋体２００を倒立させて当該柱体を液体詰め替え袋体２００内に挿入し、液体詰め替え袋体２００の袋片を柱体と薬液詰め替え支援具１００の内周壁の間に挟み入れることにより、液体詰め替え袋体２００の開口が柱体の間隔で開いた状態とする。
【００３７】
（手順４）
次に、図８の状態のまま暫く放置し、液体詰め替え袋体２００の内部に残っている薬液の垂れがある程度切れるまで液体詰め替え袋体２００内部の薬液を薬液本体容器３００に詰め替えることができる。
【００３８】
上記の４つの手順により、簡単に利用者の手を拘束することなく、液体詰め替え袋体２００の内部に残っている薬液のほとんどを薬液本体容器３００に詰め替えることができる。
【００３９】
なお、従来方法では上記本発明の手順３および手順４に相当するものがなく、従来手法では主に手順２のみであり、手で持って液体詰め替え袋体２００を傾けて倒立状態を保ち続けない限り、液体詰め替え袋体２００の内部に残っている薬液を薬液本体容器３００に詰め替えることができない。
【００４０】
一方、本発明の薬液詰め替え支援具１００を用いれば、液体詰め替え袋体からの薬液の注ぎ出し・注ぎ入れ作業において、薬液を外部に漏らすおそれがなく、消費者の手を拘束せず、かつ、液体詰め替え袋体に残っている薬液の移し替えを十分に行うことができる。
【実施例２】
【００４１】
次に、本発明の実施例２にかかる薬液詰め替え支援具１００ａについて説明する。
【００４２】
図９から図１２は、本発明の実施例２に係る薬液詰め替え支援具１００ａの構成例を模式的に示す図である。図９は斜視図、図１０（ａ）は正面図（背面図は正面図と同様）、図１０（ｂ）は右側面図（左側面図は右側面図と同様）、図１１（ａ）は平面図、図１１（ｂ）は底面図、図１２（ａ）は、図１１の平面図におけるＤ−Ｄ線断面図、図１２（ｂ）は図１１の平面図におけるＥ−Ｅ線断面図、図１２（ｃ）は図１０（ａ）におけるＦ−Ｆ線断面図となっている。
図９から図１２に示すように、本発明の薬液詰め替え支援具１００ａは、上部筒体１１０、下部漏斗部１２０、開口保持部１３０ａを備えている。
【００４３】
上部筒体１１０ａは、実施例１の上部筒体１１０と同様の働きを奏するものであり、ここでの重複した説明は省略する。図９に示すように上部筐体１１０ａの断面形状は楕円形ではなくいわゆる“マーキス”形状となっている。
下部漏斗部１２０ａは、実施例１の下部漏斗部１２０と同様の働きを奏するものであり、ここでの重複した説明は省略する。
この構成例では下部漏斗部１２０ａの外周壁には、少なくとも１つの空気抜き用の突起構造物１２１ａが設けられている。この例では２つの空気抜き用の突起構造物１２１ａが設けられている。突起構造物１２１ａは下部漏斗部１２０ａが薬液本体容器３００の開口部に挿入された状態において、下部漏斗部１２０ａの外周壁と薬液本体容器３００の内周壁との間に隙間を設けるためのスペーサーとなるものである。図１２（ｄ）は下部漏斗部１２０ａが薬液本体容器３００の開口部に挿入された状態を模式的に横断面において示した図であるが、突起構造物１２１ａの存在により下部漏斗部１２０ａの外周壁と薬液本体容器３００の内周壁との間に隙間が設けられる。この隙間がいわゆる空気抜き用の空間として機能するので、薬液の滴下がスムーズになる。
【００４４】
次に、開口保持部１３０ａは、実施例１と同様、上部筐体１１０ａの内周壁面の一部から延設された構造物であり、液体詰め替え袋体２００を倒立したままで開口状態に保つ構造物であるが、この構成例では、上部筐体１１０ａの中で対向する内周壁面間に設けた山型の橋梁となっている。
図１４から図１５に示すように、倒立状態にある液体詰め替え袋体２００の内部に当該開口保持部１３０ａの山型の橋梁を突っ込んで挿入することにより、開口状態を保つものとなっている。後述する図１６に示すように、倒立状態にある液体詰め替え袋体２００の内部に当該開口保持部１３０ａを突っ込んで挿入することにより、橋梁の稜線の広がりにより、液体詰め替え袋体２００の開口状態を保つものとなっている。
【００４５】
山型の高さは、適度な高さ、例えば、液体詰め替え袋体２００の高さの半分以上の高さあれば、図１６に示すように、液体詰め替え袋体２００を倒立させて当該柱体１３０ａを液体詰め替え袋体２００内に挿入することにより、液体詰め替え袋体２００の姿勢が倒立した状態で安定させることができる。
【００４６】
なお、開口保持部１３０ａが上部筐体１１０ａの内周壁面から延設されている箇所の高さは、特に限定されないが、例えば、実施例１と同様、液体詰め替え袋体２００を薬液詰め替え支援具１００ａの上部筐体１１０ａ内に立てたときに上部筐体１１０ａ内に一時的に溜まる薬液の喫水線よりも上に位置するようにすることが好ましい。実施例２の橋梁状の構造であっても一時的であれ薬液の喫水線より下に来る場合、開口保持部１３０ａの付け根が薬液に浸されると薬液が付け根に付着したり、液体詰め替え袋体２００のフィルム面と上部筐体１１０ａの内周壁面との間や開口保持部１３０ａとの間において薬液が付着したりするおそれがあり当該部分から薬液が自然に流れ落ちるのに少し時間がかかる可能性があるからである。しかし、実施例２においても時間をかければ自然に薬液は流れ落ちるため、開口保持部１３０ａが内周壁面から延設されている箇所の高さを制限するものではない。
【００４７】
次に、開口保持部１３０ａが上部筐体１１０ａの内周壁面から延設されている箇所の構造の工夫について説明する。図１２に示すように、この構成例では、開口保持部１３０ａの付け根の構造は上部筐体１１０ａの内周壁面から斜め上方に延設された構造となっている。このように開口保持部１３０ａの下部の構造が斜めになっていることにより、液体詰め替え袋体２００内部から開口保持部１３０ａをつたって落ちてくる薬液が自然と下方に流れ落ちやすくなっている。
【００４８】
また、この構成例では、液体詰め替え袋体２００を開口保持部１３０ａにより逆さ向きに立てた状態において、液体詰め替え袋体２００のフィルム面と上部筐体１１０ａの内周壁面とが密接しないように開口保持部１３０ａの付け根の立ち上がり形状を工夫している。つまり、付け根付近では緩やかに斜め上方に立ち上がり、その後徐々に角度が大きくなるように斜め上方に立ち上がる形状となっている。この工夫により、図１６に示すように、液体詰め替え袋体２００を開口保持部１３０ａにより逆さに立てた状態において、液体詰め替え袋体２００のフィルム面と上部筐体１１０ａの内周壁面とが密接しないようになっている。液体詰め替え袋体２００のフィルム面と上部筐体１１０ａの内周壁面とが密接すると当該密接個所において薬液の流れ落ちるのに時間がかかるおそれがあるからである。しかし、時間をかければ密接個所からも薬液は流れ出るので本発明では開口保持部１３０ａが上部筐体１１０ａの内周壁面から延設されている箇所の構造を制限するものではない。
【００４９】
次に、実施例２にかかる薬液詰め替え支援具１００ａを用いて液体詰め替え袋体２００から薬液本体容器３００に対して薬液の注入・詰め替えを行う手順を説明しておく。
【００５０】
（手順１）
まず、図１３に示すように、薬液詰め替え支援具１００の下部漏斗部１２０を薬液本体容器３００の上面開口３１０に差し込んで薬液詰め替え支援具１００を薬液本体容器３００に取り付けておく。
【００５１】
（手順２）
次に、液体詰め替え袋体２００の上部の封止辺を破り、上面に開口２１０を開け、図１４に示すように、薬液本体容器３００に取り付けた薬液詰め替え支援具１００の上部筐体１１０ａに対して注ぎ込みつつ、上部筐体１１０ａ上で倒立状態まで立てる。
【００５２】
（手順３）
次に、図１５に示すように、液体詰め替え袋体２００を倒立させたまま上部筐体１１０ａ内へ差し込む。
この例では、図１６に示すように、液体詰め替え袋体２００を倒立させて橋梁である開口保持部１３０を液体詰め替え袋体２００内に挿入し、液体詰め替え袋体２００の袋片を橋梁の稜線と上部筐体１１０ａの内周壁面との間に挟み入れることにより、液体詰め替え袋体２００の開口が開いた状態で安定する。
【００５３】
（手順４）
次に、図１６の状態のまま暫く放置し、液体詰め替え袋体２００の内部に残っている薬液の垂れがある程度切れるまで液体詰め替え袋体２００内部の薬液を薬液本体容器３００に詰め替えることができる。
【００５４】
上記の４つの手順により、簡単に利用者の手を拘束することなく、液体詰め替え袋体２００の内部に残っている薬液のほとんどを薬液本体容器３００に詰め替えることができる。
従来方法では上記の手順３および手順４に相当するものがなく、主に手順２に示すように、手で持って液体詰め替え袋体２００を傾けて倒立状態を保ち続けない限り、液体詰め替え袋体２００の内部に残っている薬液を薬液本体容器３００に詰め替えることができない。
【００５５】
以上、本発明の薬液詰め替え支援具の構成例における好ましい実施例を図示して説明してきたが、本発明の技術的範囲を逸脱することなく種々の変更が可能であることは理解されるであろう。
【産業上の利用可能性】
【００５６】
本発明の薬液詰め替え支援具は、シャンプーやリンスや洗剤や柔軟剤などの薬液を収納する薬液本体容器に対して、液体詰め替え袋体から薬液を注入、詰め替えるものに対して用いることができる。
【符号の説明】
【００５７】
１００，１００ａ  薬液詰め替え支援具
１１０，１１０ａ  上部筐体
１２０，１２０ａ  下部漏斗部
１３０，１３０ａ  開口保持部
２００  薬液詰め替え袋体
３００  薬液本体容器
【図１】
2010163195.tif 000003
【図２】
2010163195.tif 000004
【図３】
2010163195.tif 000005
【図４】
2010163195.tif 000006
【図５】
2010163195.tif 000007
【図６】
2010163195.tif 000008
【図７】
2010163195.tif 000009
【図８】
2010163195.tif 000010
【図９】
2010163195.tif 000011
【図１０】
2010163195.tif 000012
【図１１】
2010163195.tif 000013
【図１２】
2010163195.tif 000014
【図１３】
2010163195.tif 000015
【図１４】
2010163195.tif 000016
【図１５】
2010163195.tif 000017
【図１６】
2010163195.tif 000018